(57)【特許請求の範囲】
【請求項１】
複数のページをページ毎にプレビューするためのプレビュー画面を表示する表示部と、
前記表示部に設けられ、前記プレビュー画面に対するタッチ操作を検知するためのタッチパネル部と、
前記タッチパネル部の出力に基づきタッチ操作を検知するとともに、前記表示部の表示動作を制御する制御部と、を備え、
前記プレビュー画面を２点タッチする操作である検索開始操作を検知したとき、前記制御部は、前記検索開始操作として検知した２点タッチのタッチ位置のいずれかの位置を中心位置に設定するとともに、前記中心位置を中心とする円弧を含む円弧状の画像であるページ検索画像を表示させ、
前記ページ検索画像の表示後、前記中心位置に対するタッチを続行したまま前記ページ検索画像をタッチする操作であるページ検索操作を検知したとき、前記制御部は、前記ページ検索画像へのタッチのタッチ位置に対応する前記円弧上の位置を第１位置に設定するとともに、前記円弧の一対の端部のいずれかの端部の位置を始点位置に設定し、前記円弧の全長に対する前記円弧の前記始点位置から前記第１位置までの長さの比率である第１比率を求め、前記第１比率が大きいほど、前記プレビュー画面に表示させるページのページ番号の値を大きくし、
前記制御部は、前記検索開始操作として検知した２点タッチのタッチ位置のうち、上下方向のより下側のタッチ位置を前記中心位置に設定し、前記検索開始操作の検知時に前記中心位置に設定した一方のタッチのタッチ位置とは別の他方のタッチのタッチ位置が前記中心位置よりも左右方向の右側の位置となっていれば、前記円弧の一対の端部のうち前記中心位置よりも右側の端部の位置を前記始点位置に設定する一方、前記他方のタッチのタッチ位置が前記中心位置よりも前記左右方向の左側の位置となっていれば、前記円弧の一対の端部のうち前記中心位置よりも左側の端部の位置を前記始点位置に設定することを特徴とする表示入力装置。
【請求項２】
前記制御部は、前記複数のページの総ページ数に前記第１比率を乗じた値を求め、当該求めた値に対応するページ番号のページを前記プレビュー画面に表示させることを特徴とする請求項１に記載の表示入力装置。
【請求項３】
前記制御部は、前記複数のページが項目別に分類されている場合、各項目の項目名および前記各項目の先頭ページのページ番号である項目ページ番号を判別し、前記複数のページの総ページ数に対する最も若いページ番号から前記項目ページ番号までのページ数の比率である第２比率を求め、さらに、前記円弧の全長に対する前記円弧の前記始点位置からの長さの比率が前記第２比率となる前記円弧上の位置を項目に対応する第２位置として求める処理を前記各項目について行い、前記各項目の項目名を対応する前記第２位置または前記第２位置の近傍に表示させることを特徴とする請求項１または２に記載の表示入力装置。
【請求項４】
前記制御部は、キーワードを入力するための検索ボックスを前記プレビュー画面に表示させるとともに、前記検索ボックスに前記キーワードを入力するための操作の受け付けを行わせ、
前記制御部は、前記検索ボックスに前記キーワードが入力されている場合、前記検索ボックスに入力された前記キーワードを含むページのページ番号である該当ページ番号を判別し、前記複数のページの総ページ数に対する最も若いページ番号から前記該当ページ番号までのページ数の比率である第３比率を求め、さらに、前記円弧の全長に対する前記円弧の前記始点位置からの長さの比率が前記第３比率となる前記円弧上の位置を前記該当ページ番号に対応する第３位置として求める処理を行い、前記該当ページ番号を前記第３位置または前記第３位置の近傍に表示させることを特徴とする請求項１〜３のいずれか１項に記載の表示入力装置。
【請求項５】
前記制御部は、前記プレビュー画面の２点を所定時間が経過するまでタッチし続ける操作を前記検索開始操作として検知することを特徴とする請求項１〜４のいずれか１項に記載の表示入力装置。
【請求項６】
前記制御部は、前記検索開始操作を検知して以降、前記プレビュー画面に対するタッチが全て解除されたことを検知したとき、前記プレビュー画面に現在表示中のページを表示させたまま、前記ページ検索画像を非表示にさせることを特徴とする請求項１〜５のいずれか１項に記載の表示入力装置。
【請求項７】
請求項１〜６のいずれか１項に記載の表示入力装置を備えた画像形成装置。
【発明の詳細な説明】
【技術分野】
【０００１】
本発明は、表示入力装置およびそれを備えた画像形成装置に関する。
【背景技術】
【０００２】
従来、文書ファイルや画像ファイルなどの電子ファイルに含まれるページ（ページ毎のページ画像）を格納し、そのページを表示する表示入力装置が知られている。たとえば、特許文献１の表示入力装置（画像表示装置）は、タッチパネルディスプレイを備える。そして、電子ファイルに含まれるページのサムネイルをタッチパネルディスプレイに表示する。
【０００３】
特許文献１の表示入力装置は、電子ファイルに含まれるページの表示中、タッチパネルディスプレイの表示画面に対して予め定められたタッチ操作であるページ送り操作が行われたことを検知すると、表示ページを現在表示中のページから次ページ（または、前ページ）に切り替える。ページ送り操作として検知される操作は、表示画面をタッチしながら円を描くようにタッチ位置を移動させる操作である。そして、このページ送り操作を１回行うと、１ページ分のページ送りが行われる。
【先行技術文献】
【特許文献】
【０００４】
【特許文献１】特開２０１４−１１５８９３号公報
【発明の概要】
【発明が解決しようとする課題】
【０００５】
たとえば、特許文献１の表示入力装置において、現在表示中のページが所望ページ（ユーザーが表示させたいページ）と異なっている場合には、所望ページを検索するため、ページ送り操作が行われる。そして、所望ページが表示されるまで、ページ送り操作は繰り返される。
【０００６】
ここで、特許文献１の表示入力装置は、ページ送り操作を１回検知すると、１ページ分のページ送りを行う。すなわち、十ページ分のページ送りを行いたい場合には、ページ送り操作を十回繰り返す必要がある。このため、現在表示中のページのページ番号に対して所望ページのページ番号が離れていると、所望ページが表示されるまでに、同じ操作（ページ送り操作）を何回も繰り返さなければならない。したがって、ユーザーにとっては煩わしく利便性が悪い（操作性が悪い）。
【０００７】
本発明は、上記課題を解決するためになされたものであり、同じ操作を何回も繰り返さなくても、ユーザー所望のページを簡単に表示することが可能な表示入力装置およびそれを備えた画像形成装置を提供することを目的とする。
【課題を解決するための手段】
【０００８】
上記目的を達成するために、本発明の表示入力装置は、複数のページをページ毎にプレビューするためのプレビュー画面を表示する表示部と、表示部に設けられ、プレビュー画面に対するタッチ操作を検知するためのタッチパネル部と、タッチパネル部の出力に基づきタッチ操作を検知するとともに、表示部の表示動作を制御する制御部と、を備える。そして、プレビュー画面を２点タッチする操作である検索開始操作を検知したとき、制御部は、検索開始操作として検知した２点タッチのタッチ位置のいずれかの位置を中心位置に設定するとともに、中心位置を中心とする円弧を含む円弧状の画像であるページ検索画像を表示させる。また、ページ検索画像の表示後、中心位置に対するタッチを続行したままページ検索画像をタッチする操作であるページ検索操作を検知したとき、制御部は、ページ検索画像へのタッチのタッチ位置に対応する円弧上の位置を第１位置に設定するとともに、円弧の一対の端部のいずれかの端部の位置を始点位置に設定し、円弧の全長に対する円弧の始点位置から第１位置までの長さの比率である第１比率を求め、第１比率が大きいほど、プレビュー画面に表示させるページのページ番号の値を大きくする。
【０００９】
本発明の構成では、検索開始操作を行った後（ページ検索画像を表示させた後）、第１比率が大きくなるようページ検索操作（ページ検索画像をタッチする操作）を行えば、複数ページ分のページ送りが一気に行われる。これにより、プレビュー画面に現在表示中のページのページ番号に対して所望ページ（ユーザーが表示させたいページ）が離れている場合であっても、同じ操作を何回も繰り返すことなく、表示ページを現在表示中のページから所望ページに切り替えることができる。
【発明の効果】
【００１０】
以上のように、本発明の構成では、同じ操作を何回も繰り返さなくても、ユーザー所望のページを簡単に表示することができる。
【図面の簡単な説明】
【００１１】
【図１】本発明の一実施形態による画像形成装置を示す図
【図２】本発明の一実施形態による操作パネル（表示入力装置）を示す図
【図３】本発明の一実施形態による画像形成装置および操作パネルのハードウェア構成を示す図
【図４】本発明の一実施形態による操作パネルが表示するプレビュー画面を示す図
【図５】本発明の一実施形態による操作パネルが検索開始操作を検知したときの表示動作を示す図（右手で検索開始操作を行った場合の図）
【図６】本発明の一実施形態による操作パネルが検索開始操作を検知したときに行う処理（中心位置の設定）について説明するための図
【図７】本発明の一実施形態による操作パネルがページ検索操作を検知したときに行う処理（第１位置および始点位置の設定）について説明するための図
【図８】本発明の一実施形態による操作パネルが検索開始操作を検知したときの表示動作を示す図（左手で検索開始操作を行った場合の図）
【図９】本発明の一実施形態による操作パネルがページ検索操作を検知したときの表示動作を示す図
【図１０】本発明の一実施形態による操作パネルがページ検索操作を連続して検知したとき（対象タッチ位置が移動したとき）の表示動作を示す図
【図１１】本発明の一実施形態による操作パネルが全タッチの解除を検知したときの表示動作を示す図
【図１２】本発明の一実施形態による操作パネルがプレビュー表示する複数のページに含まれる目次ページを示す図
【図１３】本発明の一実施形態による操作パネルが項目情報を表示するときに行う処理（第２位置の設定）について説明するための図
【図１４】本発明の一実施形態による操作パネルがキーワード情報を表示するときに行う処理（第３位置の設定）について説明するための図
【図１５】本発明の一実施形態による操作パネルが表示ページを切り替えるときの処理の流れについて説明するためのフローチャート
【発明を実施するための形態】
【００１２】
以下に、本発明の一実施形態による表示入力装置を備えた画像形成装置について、コピー機能やプリンター機能など複数種の機能が搭載された画像形成装置（複合機）を例にとって説明する。
【００１３】
＜＜画像形成装置の全体構成＞＞
図１に示すように、画像形成装置１００は、画像読取部１および印刷部２を備える。画像読取部１は、原稿を読み取って原稿の画像データを生成する。印刷部２は、用紙搬送路２１に沿って用紙を搬送し、画像データに基づきトナー像を形成する。そして、印刷部２は、搬送中の用紙にトナー像を転写（印刷）する。また、印刷部２は、印刷済みの用紙を排出トレイ２２に排出する。
【００１４】
印刷部２は、給紙部３、用紙搬送部４、画像形成部５および定着部６によって構成される。給紙部３は、ピックアップローラー３１および給紙ローラー対３２を含み、用紙カセット３３に収容された用紙を用紙搬送路２１に供給する。用紙搬送部４は、複数の搬送ローラー対４１を含み、用紙搬送路２１に沿って用紙を搬送する。
【００１５】
画像形成部５は、感光体ドラム５１、帯電装置５２、露光装置５３、現像装置５４、転写ローラー５５およびクリーニング装置５６を含む。そして、画像形成部５は、画像データに基づきトナー像を形成し、そのトナー像を用紙に転写する。定着部６は、加熱ローラー６１および加圧ローラー６２を含み、用紙に転写されたトナー像を加熱および加圧して定着させる。
【００１６】
ここで、画像形成装置１００には、操作パネル７が設置される。操作パネル７は「表示入力装置」に相当する。この操作パネル７は、たとえば、画像形成装置１００の正面側（図１の破線で示す箇所）に配置される。
【００１７】
操作パネル７には、図２に示すように、タッチパネルディスプレイ７１が設けられる。タッチパネルディスプレイ７１は、表示部７２およびタッチパネル部７３を含む。表示部７２は、液晶表示パネルや有機ＥＬ表示パネルなどの表示パネルである。タッチパネル部７３は、抵抗膜方式または静電容量方式のタッチパネルであり、表示部７２の表示画面を覆うように配置される。たとえば、タッチパネルディスプレイ７１は、ジョブ実行条件の設定など各種設定を受け付けるためのソフトウェアキーを表示部７２に表示し、タッチパネル部７３を介して各種設定をユーザーから受け付ける（ソフトウェアキーに対するタッチ操作を受け付ける）。なお、操作パネル７には、スタートキー、ストップキー、リセットキーおよびテンキーなど種々のハードウェアキー７４も設けられる。
【００１８】
＜＜画像形成装置（操作パネル）のハードウェア構成＞＞
図３に示すように、画像形成装置１００は、主制御部１１０を備える。主制御部１１０は、ＣＰＵ１１１、画像処理部１１２および本体記憶部１１３を含む。画像処理部１１２は、画像データに対して画像処理（拡大／縮小、濃度変換およびデータ形式変換など）を施す。本体記憶部１１３は、制御用のプログラムおよびデータを記憶する。そして、主制御部１１０は、制御用のプログラムおよびデータに基づき、画像読取部１の読取動作および印刷部２（給紙部３、用紙搬送部４、画像形成部５および定着部６）の印刷動作を制御する。
【００１９】
また、主制御部１１０は、ＦＡＸモデムなどを内蔵する通信部１２０と接続される。この通信部１２０は、外部機器２００と通信可能に接続される。たとえば、通信部１２０には、ユーザーにより使用されるパーソナルコンピューター（ＰＣ）がＬＡＮを介して接続される。あるいは、通信部１２０には、ファクシミリが電話回線を介して接続される。これにより、画像形成装置１００にて生成された画像データ（たとえば、画像読取部１による原稿の読み取りによって得られた原稿の画像データ）を外部機器２００に送信することができる。また、外部機器２００から画像形成装置１００への各種データ（画像データや文書データ）の送信も可能となる。
【００２０】
操作パネル７は、パネル制御部７１０を含む。パネル制御部７１０は、主制御部１１０と接続される。また、パネル制御部７１０は、パネルＣＰＵ７１１およびパネルメモリー７１２を含む。なお、パネル制御部７１０（ＣＰＵ７１１）は「制御部」に相当する。
【００２１】
パネル制御部７１０は、主制御部１１０から指示を受け、表示部７２の表示動作を制御する。また、パネル制御部７１０は、表示部７２の表示画面に対するタッチ操作をタッチパネル部７３の出力に基づき検知する。さらに、パネル制御部７１０は、ハードウェアキー７４に対する押下操作も検知する。
【００２２】
たとえば、パネル制御部７１０は、ソフトウェアキーなどを配した画面を表示部７２に表示させ、そのソフトウェアキーに対してタッチ操作（ソフトウェアキーをタップする操作）が行われると、タッチパネル部７３の出力に基づきタッチ操作が行われたソフトウェアキーを検知する。そして、パネル制御部７１０は、検知したソフトウェアキーに対応する画面が表示されるように、表示画面の切り替えを表示部７２に行わせる。
【００２３】
＜＜プレビュー画面の概要＞＞
操作パネル７は、プレビュー機能を搭載する。このプレビュー機能を利用すると、プレビュー対象の複数のページの各サムネイルを１ページずつプレビューすることができる（２ページ以上ずつプレビューすることもできる）。たとえば、操作パネル７には、プレビュー機能を使用する旨の指示をユーザーから受け付けるためのハードウェアキーであるプレビューキー７４Ｐ（図２参照）が設けられる。なお、プレビューキー７４Ｐに相当するソフトウェアキーが操作パネル７に表示されてもよい。
【００２４】
パネル制御部７１０は、プレビューキー７４Ｐに対する操作が行われると、図４に示すようなプレビュー画面８をタッチパネルディスプレイ７１に表示させる。このプレビュー画面８では、ユーザー所望のページのサムネイルがプレビューエリア８１に表示される。たとえば、プレビュー対象の複数のページの画像データや文書データは、パネルメモリー７１２に記憶される。あるいは、ＵＳＢデバイスを接続するためのインターフェースが操作パネル７（または、画像形成装置１００の本体）に設けられる場合には、プレビュー対象の複数のページの画像データや文書データがＵＳＢデバイスに記憶されてもよい。
【００２５】
そして、パネル制御部７１０は、ユーザーからの指示（プレビュー画面８に対するタッチ操作）に応じて、プレビュー表示するページを切り替えさせる。プレビュー表示するページの切り替え指示をユーザーから受け付けるため、プレビュー画面８には、一対のページ送りキー８２（ソフトウェアキー）が配される。
【００２６】
パネル制御部７１０は、ページ送りキー８２に対するタッチ操作（タップする操作）を検知すると、プレビュー表示するページを切り替えさせる。具体的に、パネル制御部７１０は、一方のページ送りキー８２に対するタッチ操作を１回検知すると、プレビュー画面８に表示するページを現在表示中のページから次ページに切り替えさせる（１ページ分のページ送りを行わせる）。また、パネル制御部７１０は、他方のページ送りキー８２に対するタッチ操作を１回検知すると、プレビュー画面８に表示するページを現在表示中のページから前ページに切り替えさせる（１ページ分のページ送りを行わせる）。
【００２７】
＜＜表示ページの切り替え＞＞
本実施形態では、ページ送りキー８２を用いなくても、プレビュー画面８に表示するページを切り替えることができる。以下に具体的に説明する。
【００２８】
図５に示すように、パネル制御部７１０は、プレビュー画面８を２点タッチする操作を検知したとき、検索開始操作が行われたと判断する。図５ではタッチ位置を白丸で示す。以降の説明で参照する図面についても、同様に、タッチ位置を白丸で示す。たとえば、パネル制御部７１０は、プレビュー画面８の２点を所定時間（たとえば、数秒）が経過するまでタッチし続ける長押し操作を検索開始操作として検知する。この場合、パネル制御部７１０は、プレビュー画面８を２点タッチする操作を検知しても、所定時間が経過する前に少なくとも一方のタッチが解除されると、検索開始操作が行われたと判断しない。ただし、プレビュー画面８を２点タッチした後、一方のタッチだけを所定時間が経過するまで維持する長押し操作を検索開始操作としてもよい（他方のタッチは解除してもよい）。
【００２９】
パネル制御部７１０は、検索開始操作を検知すると、ページ検索画像９をプレビュー画面８に重ねて表示させる。すなわち、検索開始操作というのは、ページ検索画像９を表示させるための操作である。なお、ページ検索画像９は、後述するページ検索操作（プレビュー画面８に表示するページを検索するための操作）を受け付けるための画像である。
【００３０】
図６に示すように、ページ検索画像９は、中心位置ＣＰを中心とする円弧状の画像である。言い換えると、ページ検索画像９は、中心位置ＣＰを中心とする円弧９０を含む画像である。たとえば、円弧９０の一対の端部９０ａおよび９０ｂは、中心位置ＣＰを挟んで左右方向の両側に配置される。
【００３１】
中心位置ＣＰはパネル制御部７１０により設定される位置であり、検索開始操作として検知された２点タッチのうち一方のタッチのタッチ位置である。たとえば、パネル制御部７１０は、検索開始操作として検知した２点タッチのタッチ位置のうち、上下方向のより下側のタッチ位置を中心位置ＣＰに設定する。なお、上下方向というのは、プレビュー画面８の上辺（下辺）が延びる方向と直交する方向であり、プレビュー画面８の左辺（右辺）が延びる方向である。すなわち、図５に示す例では、２点タッチのタッチ位置のうち、親指のタッチ位置（プレビュー画面８の下辺からの距離が短い方のタッチ位置）が中心位置ＣＰとして設定される。
【００３２】
特に限定されないが、ページ検索画像９の形態（画像の色、形状およびサイズ）は予め定められており、検索開始操作として検知された２点タッチのタッチ位置や、２点タッチのタッチ間距離によって変化するものではない。すなわち、図５に示す例とは異なる位置に異なるタッチ間距離で検索開始操作を行っても、ページ検索画像９の表示位置は検索開始操作のタッチ位置によって変化するが、ページ検索画像９の形態は変化しない。
【００３３】
ただし、検索開始操作として検知した２点タッチのタッチ間距離に応じて、ページ検索画像９の表示サイズ（円弧９０の半径）を変化させてもよい。たとえば、タッチ間距離が予め定められた上限値よりも大きければ、ページ検索画像９の表示サイズを予め定められた最大サイズに設定し、タッチ間距離が予め定められた下限値よりも小さければ、ページ検索画像９の表示サイズを予め定められた最小サイズに設定し、タッチ間距離が上限値から下限値までの範囲内に入っていれば、ページ検索画像９の表示サイズを予め定められた中間サイズ（最大サイズと最小サイズとの間のサイズ）に設定してもよい。
【００３４】
図５に示すように、ページ検索画像９の表示後、パネル制御部７１０は、中心位置ＣＰに対するタッチ（検索開始操作として行った２点タッチのうち一方のタッチ）を続行したままページ検索画像９の表示領域をタッチする操作を検知したとき、プレビュー画面８に表示するページを検索するための操作であるページ検索操作が行われたと判断する。たとえば、検索開始操作として行った２点タッチのうち一方のタッチを維持したまま他方のタッチを解除した後、ページ検索画像９の表示領域を新たにタッチすれば、その操作がページ検索操作として検知される。あるいは、一方および他方の各タッチを維持したまま他方のタッチのタッチ位置をページ検索画像９の表示領域に移動させれば、その操作がページ検索操作として検知される。
【００３５】
なお、検索開始操作としての２点タッチを行うことによりページ検索画像９が表示されたとき、２点タッチのうち他方のタッチのタッチ位置（中心位置ＣＰとして設定されたタッチ位置とは別のタッチ位置）がページ検索画像９の表示領域と重なっていた場合には、ページ検索操作として検知される条件を満たしているので、ページ検索操作を行ったことになる。
【００３６】
図７に示すように、パネル制御部７１０は、ページ検索操作を検知したとき、ページ索操作として検知した２点タッチのうち他方のタッチのタッチ位置ＴＰ（ページ検索画像９の表示領域のタッチ位置）を認識する。以下、この他方のタッチのタッチ位置を対象タッチ位置ＴＰと称することにより、ページ検索操作として検知した２点タッチのうち一方のタッチのタッチ位置（中心位置ＣＰ）と区別する場合がある。そして、パネル制御部７１０は、対象タッチ位置ＴＰに基づき、プレビュー画面８に表示するページを切り替えさせる。すなわち、ページ検索画像９の円弧９０の中心位置ＣＰをタッチしたままの状態で、ページ検索画像９の表示領域をタッチすることにより、プレビュー画面８に表示されるページが現在表示中のページ（検索開始操作を行ったときの表示ページ）から別のページに切り替わる。
【００３７】
具体的に、パネル制御部７１０は、ページ検索操作を検知すると、対象タッチ位置ＴＰに対応する円弧９０上の位置を第１位置Ｐ１に設定する。このとき、パネル制御部７１０は、対象タッチ位置ＴＰに最も近い円弧９０上の位置を第１位置Ｐ１に設定する。言い換えると、対象タッチ位置ＴＰおよび中心位置ＣＰを通過する直線（図７では、一点鎖線で示す）と円弧９０との交点が第１位置Ｐ１に設定される。
【００３８】
また、パネル制御部７１０は、円弧９０の円周方向の一対の端部９０ａおよび９０ｂのうちいずれかの端部の端点位置を始点位置ＳＰとして設定する。たとえば、パネル制御部７１０は、検索開始操作の検知時に中心位置ＣＰに設定した一方のタッチのタッチ位置とは別の他方のタッチのタッチ位置を設定基準位置（始点位置ＳＰを設定するための位置）として認識する。そして、設定基準位置が中心位置ＣＰよりも左右方向の右側の位置となっている場合、パネル制御部７１０は、円弧９０の左右方向の右側の端部９０ａの端点位置を始点位置ＳＰに設定する。一方で、設定基準位置が中心位置ＣＰよりも左右方向の左側の位置となっている場合、パネル制御部７１０は、円弧９０の左右方向の左側の端部９０ｂの端点位置を始点位置ＳＰに設定する。
【００３９】
したがって、図５に示したように検索開始操作を行った場合には、円弧９０の右側の端部９０ａの端点位置が始点位置ＳＰに設定される（図７参照）。一方で、図８に示すように検索開始操作を行った場合には、円弧９０の左側の端部９０ｂの端点位置が始点位置ＳＰに設定される（図示せず）。すなわち、検索開始操作を右手で行った場合には、円弧９０の右側の端部９０ａの端点位置が始点位置ＳＰに設定され易くなり、検索開始操作を左手で行った場合には、円弧９０の左側の端部９０ｂの端点位置が始点位置ＳＰに設定され易くなる。
【００４０】
第１位置Ｐ１および始点位置ＳＰを設定すると、パネル制御部７１０は、円弧９０の全長に対する円弧９０の始点位置ＳＰから第１位置Ｐ１までの円弧長さ（円周方向の長さ）の比率である第１比率を求める。円弧９０の全長というのは、円弧９０の端部９０ａの端点位置（始点位置ＳＰ）から端部９０ｂの端点位置までの円弧長さ（円周方向の長さ）である。そして、パネル制御部７１０は、第１比率が大きいほど、プレビュー画面８に表示させるページのページ番号の値を大きくする。
【００４１】
たとえば、パネル制御部７１０は、プレビュー対象の複数のページの総ページ数（先頭ページから最終ページまでのページ数）に第１比率を乗じた値を求める。そして、パネル制御部７１０は、当該求めた値に対応するページ番号のページをプレビュー画面８に表示させる。すなわち、プレビュー対象の複数のページの総ページ数が「１００」であり、第１比率が「０．２」であれば、総ページ数に第１比率を乗じた値は「２０」となる。したがって、プレビュー画面８には、ページ番号の値が「２０（先頭ページから数えて２０ページ目）」のページが表示される。なお、総ページ数に第１比率を乗じた値が小数である場合には、小数点以下の値を切り上げてもよいし、切り捨ててもよし、四捨五入してもよい。
【００４２】
また、図９に示すように、パネル制御部７１０は、ページ検索操作に応じたページを表示させるとき（表示ページを切り替えた場合）、当該ページのページ番号を示すページ番号情報９１を表示させる。特に限定されないが、ページ番号情報９１は、プレビュー画面８のプレビューエリア８１内に表示される。あるいは、予め定められた領域（たとえば、プレビューエリア８１の外側の領域）にページ番号情報９１を表示してもよい。
【００４３】
その後、ページ検索画像９の円弧９０の中心位置ＣＰをタッチしたまま対象タッチ位置ＴＰを移動させる操作（ページ検索画像９の表示領域に沿って対象タッチ位置ＴＰを移動させる操作）を行うと、その都度、対象タッチ位置ＴＰに対応する第１位置Ｐ１が求められるとともに、第１比率が求められる。そして、図１０に示すように、第１位置Ｐ１に応じたページ（総ページ数に第１比率を乗じた値に対応するページ番号のページ）がプレビュー画面８に表示される。すなわち、プレビュー画面８に表示されるページが次々に切り替わっていく。
【００４４】
なお、パネル制御部７１０は、予め、プレビュー対象の複数のページの各ページ番号を認識（設定）する。たとえば、複数のページが単一のファイルにまとめられている場合、パネル制御部７１０は、先頭ページのページ番号を「１（最も若いページ番号）」と認識し、先頭ページからＮ番目のページのページ番号を「Ｎ」と認識する。また、複数のページが別々のファイルに分けられている場合、パネル制御部７１０は、複数のファイルのそれぞれのファイル名や作成日時などに基づきページ番号を設定する。
【００４５】
図１１に示すように、パネル制御部７１０は、検索開始操作を検知して以降、ページ検索操作を検知したか否かにかかわらず、プレビュー画面８に対するタッチが全て解除されると、プレビュー画面８に表示するページが確定したと判断する。なお、図１１では、ページ検索操作を検知して以降にプレビュー画面８に対するタッチが全て解除された場合の表示動作を図示する。このとき、パネル制御部７１０は、ページ検索画像９を非表示とさせる。また、パネル制御部７１０は、プレビュー画面８に現在表示中のページを表示したまま維持させる（当該ページを確定ページとして表示させる）。
【００４６】
＜＜検索補助情報の表示＞＞
パネル制御部７１０は、ページ検索画像９を表示させるとき、ページ検索を補助するための検索補助情報も追加で表示させる。たとえば、パネル制御部７１０は、検索補助情報として、各項目の項目名を示す項目情報９２を表示させる（図１３参照）。あるいは、パネル制御部７１０は、検索補助情報として、ユーザーにより入力されたキーワードを含むページのページ番号を示すキーワード情報９３を表示させる（図１４参照）。なお、図１３および図１４では、図面を見易くするため、ユーザーの指を図示していない。
【００４７】
＜項目情報＞
パネル制御部７１０は、プレビュー対象の複数のページが項目別に分類されているか否かを判断する。たとえば、パネル制御部７１０は、複数のページのデータ中に目次ページに対応するデータが存在するか否かの判断を行い、目次ページに対応するデータが存在すれば、複数のページが項目別に分類されていると判断する。一例として、パネル制御部７１０は、複数の数字および所定の文字列（たとえば、「Ｃｏｎｔｅｎｔｓ」や「Ｉｎｄｅｘ」といった文字列）を含むページを検索する。そして、当該ページが存在する場合、パネル制御部７１０は、当該ページを目次ページとして抽出する（複数のページが項目別に分類されていると判断する）。たとえば、図１２に示すようなページが目次ページとして抽出される。
【００４８】
また、パネル制御部７１０は、目次ページのデータに基づき、各項目の項目名および各項目の先頭ページのページ番号（以下、項目ページ番号と称する）の判別を行う。たとえば、図１２に示す目次ページでは、第〇章（「○」には数字が挿入される）という文字列が項目名として判別される。また、第〇章という文字列に付随する数字が項目ページ番号として判別される。
【００４９】
その後、パネル制御部７１０は、プレビュー対象の複数のページのうち、最も若いページ番号から項目ページ番号までのページ数（ここでは、対象ページ数と称する）を各項目について認識する。また、パネル制御部７１０は、複数のページの総ページ数に対する対象ページ数の比率である第２比率を求め、さらに、円弧９０の全長に対する円弧９０の始点位置ＳＰからの円弧長さの比率が第２比率となる円弧９０上の位置を項目に対応する第２位置Ｐ２（図１３参照）として求める処理を各項目について行う。
【００５０】
そして、図１３に示すように、ページ検索画像９を表示させるとき、パネル制御部７１０は、各項目の項目名（項目情報９２）を対応する第２位置Ｐ２またはその近傍に表示させる。たとえば、プレビュー対象の複数のページの総ページ数が「１００」であるとする。この場合、図１２に示す目次ページにおいて、「第４章」という項目を例にとると、当該項目の項目ページ番号は「８０」であるので、第２比率は「０．８」となる。これにより、図１３に示すように、円弧９０の全長の８０％の位置（二重丸で示す）が項目ページ番号「８０」に対応する第２位置Ｐ２として求められる。
【００５１】
＜キーワード情報＞
パネル制御部７１０は、キーワードを入力するための検索ボックス８３（図４参照）をプレビュー画面８に表示させ、検索ボックス８３にキーワードを入力するための操作の受け付けを行わせる。たとえば、パネル制御部７１０は、検索ボックス８３に対するタッチ操作（検索ボックス８３をタップする操作）を検知すると、ソフトウェアキーボード（図示せず）を表示させる。これにより、ソフトウェアキーボードを用いて、検索ボックス８３へのキーワードの入力が行える。
【００５２】
そして、パネル制御部７１０は、検索ボックス８３にキーワードが入力されると、プレビュー対象の複数のページの中から、検索ボックス８３に入力されたキーワードを含むページを検索する。そして、キーワードを含むページが存在する場合、パネル制御部７１０は、キーワードを含むページのページ番号（以下、該当ページ番号と称する）の判別を行う。なお、キーワードを含むページが複数存在する場合もある。
【００５３】
その後、パネル制御部７１０は、プレビュー対象の複数のページのうち、最も若いページ番号から該当ページ番号までのページ数（ここでは、対象ページ数と称する）を認識する。また、パネル制御部７１０は、複数のページの総ページ数に対する対象ページ数の比率である第３比率を求め、さらに、円弧９０の全長に対する円弧９０の始点位置ＳＰからの円弧長さの比率が第３比率となる円弧９０上の位置を該当ページ番号に対応する第３位置Ｐ３（図１４参照）として求める。なお、キーワードを含むページが複数存在する場合（該当ページ番号が複数存在する場合）には、各該当ページ番号に対応する第３位置Ｐ３が求められる。
【００５４】
そして、図１４に示すように、ページ検索画像９を表示させるとき、パネル制御部７１０は、該当ページ番号（キーワード情報９３）を第３位置Ｐ３またはその近傍に表示させる。図１４では、一例として、３ページ分のページ番号が該当ページ番号（キーワードを含むページのページ番号）として判別された例を図示する。
【００５５】
＜＜プレビュー表示を行うときの処理の流れ＞＞
以下に、図１５に示すフローチャートを参照し、プレビュー画面８にページを表示するとき（ページを切り替えるとき）の処理の流れについて説明する。図１５に示すフローチャートのスタート時点では、プレビュー画面８が表示されているとする。そして、プレビュー画面８に対して検索開始操作（プレビュー画面８の２点を長押しするタッチ操作）が行われたとき、図１５に示すフローチャートがスタートする。
【００５６】
ステップＳ１において、パネル制御部７１０は、プレビュー画面８上にページ検索画像９を表示させる。
【００５７】
続いて、ステップＳ２において、パネル制御部７１０は、プレビュー対象の複数のページが項目別に分類されているか否かを判断する。言い換えると、パネル制御部７１０は、複数のページを項目別に分類可能か否かを判断する。その結果、項目別に分類されているとパネル制御部７１０が判断した場合には、ステップＳ３に移行する。ステップＳ３に移行すると、パネル制御部７１０は、第２位置Ｐ２を求める。このとき、パネル制御部７１０は、第２位置Ｐ２を示す情報や、第２位置Ｐ２（その近傍）に表示すべき項目名を示す情報をパネルメモリー７１２に記憶させる。その後、ステップＳ４に移行する。なお、ステップＳ２において、項目別に分類されていないとパネル制御部７１０が判断した場合には、ステップＳ２からステップＳ４に移行する。
【００５８】
ステップＳ４に移行すると、パネル制御部７１０は、プレビュー画面８の検索ボックス８３にキーワードが入力されているか否かを判断する。その結果、キーワードが入力されているとパネル制御部７１０が判断した場合には、ステップＳ５に移行する。ステップＳ５に移行すると、パネル制御部７１０は、第３位置Ｐ３を求める。このとき、パネル制御部７１０は、第３位置Ｐ３を示す情報や、第３位置Ｐ３（その近傍）に表示すべき該当ページ番号を示す情報をパネルメモリー７１２に記憶させる。その後、ステップＳ６に移行する。なお、ステップＳ４において、キーワードが入力されていないとパネル制御部７１０が判断した場合には、ステップＳ４からステップＳ６に移行する。
【００５９】
ステップＳ６に移行すると、パネル制御部７１０は、プレビュー画面８に表示すべき検索補助情報（項目名や該当ページ番号）が存在するか否かを判断する。その結果、検索補助情報が存在するとパネル制御部７１０が判断した場合には、ステップＳ７に移行する。ステップＳ７に移行すると、パネル制御部７１０は、検索補助情報を表示させる。検索補助情報として項目名が存在する場合には、その項目名が第２位置Ｐ２に表示され、検索補助情報として該当ページ番号が存在する場合には、その該当ページ番号が第３位置Ｐ３に表示される。その後、ステップＳ８に移行する。なお、ステップＳ６において、検索補助情報が存在しないとパネル制御部７１０が判断した場合には、ステップＳ６からステップＳ８に移行する。
【００６０】
ステップＳ８に移行すると、パネル制御部７１０は、ページ検索操作を検知したか否かを判断する。その結果、ページ検索操作を検知したとパネル制御部７１０が判断した場合には、ステップＳ９に移行する。ステップＳ９に移行すると、パネル制御部７１０は、第１位置Ｐ１（対象タッチ位置ＴＰに対応する位置）を求める。このとき、パネル制御部７１０は、第１比率も求める。そして、ステップＳ１０において、パネル制御部７１０は、第１位置Ｐ１に応じたページ（総ページ数に第１比率を乗じた値に対応するページ番号のページ）をプレビュー画面８に表示させる。
【００６１】
その後、ステップＳ１１に移行する。また、ステップＳ８において、ページ検索操作を検知していないとパネル制御部７１０が判断した場合にも、ステップＳ１１に移行する。ステップＳ１１に移行すると、パネル制御部７１０は、プレビュー画面８に対するタッチが全て解除されたか否かを判断する。その結果、全てのタッチが解除されたとパネル制御部７１０が判断した場合には、ステップＳ１２に移行する。一方で、全てのタッチが解除されていない（中心位置ＣＰに対するタッチが継続している）とパネル制御部７１０が判断した場合には、ステップＳ８に移行する。
【００６２】
ステップＳ１２に移行すると、パネル制御部７１０は、ページ検索画像９を非表示とさせる。このとき、パネル制御部７１０は、現在表示中のページの表示を継続させる。すなわち、プレビュー画面８には、プレビュー画面８に対するタッチを全て解除したときに表示されていたページの表示が継続される（表示ページが確定される）。
【００６３】
本実施形態では、上記のように、プレビュー画面８を２点タッチする操作である検索開始操作を検知したとき、パネル制御部７１０は、検索開始操作として検知した２点タッチのタッチ位置のいずれかの位置を中心位置ＣＰに設定するとともに、中心位置ＣＰを中心とする円弧９０を含む円弧状の画像であるページ検索画像９を表示させる。また、ページ検索画像９の表示後、中心位置ＣＰに対するタッチを続行したままページ検索画像９をタッチする操作であるページ検索操作を検知したとき、パネル制御部７１０は、ページ検索画像９へのタッチのタッチ位置（対象タッチ位置ＴＰ）に対応する円弧９０上の位置を第１位置Ｐ１に設定するとともに、円弧９０の一対の端部９０ａおよび９０ｂのいずれかの端部の位置を始点位置ＳＰに設定し、円弧９０の全長に対する円弧９０の始点位置ＳＰから第１位置Ｐ１までの長さの比率である第１比率を求め、第１比率が大きいほど、プレビュー画面８に表示させるページのページ番号の値を大きくする。
【００６４】
本実施形態の構成によると、検索開始操作を行った後（ページ検索画像９を表示させた後）、第１比率が大きくなるようページ検索操作（ページ検索画像９をタッチする操作）を行えば、複数ページ分のページ送りが一気に行われる。これにより、プレビュー画面８に現在表示中のページのページ番号に対して所望ページ（ユーザーが表示させたいページ）のページ番号が離れている場合であっても、同じ操作を何回も繰り返すことなく、表示ページを現在表示中のページから所望ページに切り替えることができる。
【００６５】
また、本実施形態では、上記のように、パネル制御部７１０は、複数のページの総ページ数に第１比率を乗じた値を求め、当該求めた値に対応するページ番号のページをプレビュー画面８に表示させる。このように構成すれば、複数のページの総ページ数に対する先頭ページのページ番号（最も若いページ番号）から所望ページのページ番号までのページ数の比率と第１比率とが一致するようページ検索操作を行うことにより、所望ページをプレビュー画面８に表示させることができる。
【００６６】
また、本実施形態では、上記のように、パネル制御部７１０は、複数のページが項目別に分類されている場合、各項目の項目名および各項目の先頭ページのページ番号である項目ページ番号を判別し、複数のページの総ページ数に対する最も若いページ番号から項目ページ番号までのページ数の比率である第２比率を求め、さらに、円弧９０の全長に対する円弧９０の始点位置ＳＰからの円弧長さの比率が第２比率となる円弧９０上の位置を項目に対応する第２位置Ｐ２として求める処理を各項目について行い、各項目の項目名（項目情報９２）を対応する第２位置Ｐ２または第２位置Ｐ２の近傍に表示させる。このように構成すれば、ページ検索画像９に追加表示された項目名を目安にしてページ検索操作を行える。これにより、ページ検索を効率的に行うことができる。
【００６７】
また、本実施形態では、上記のように、パネル制御部７１０は、検索ボックス８３にキーワードが入力されている場合、検索ボックス８３に入力されたキーワードを含むページのページ番号である該当ページ番号を判別し、複数のページの総ページ数に対する最も若いページ番号から該当ページ番号までのページ数の比率である第３比率を求め、さらに、円弧９０の全長に対する円弧９０の始点位置ＳＰからの円弧長さの比率が第３比率となる円弧９０上の位置を該当ページ番号に対応する第３位置Ｐ３として求める処理を行い、該当ページ番号（キーワード情報９３）を第３位置Ｐ３または第３位置Ｐ３の近傍に表示させる。このように構成すれば、ページ検索画像９に追加表示された該当ページ番号（キーワードを含むページのページ番号）を目安にしてページ検索操作を行える。これにより、ページ検索を効率的に行うことができる。
【００６８】
また、本実施形態では、上記のように、パネル制御部７１０は、プレビュー画面８の２点を所定時間が経過するまでタッチし続ける操作を検索開始操作として検知する。このように構成すれば、ページ検索を開始するとき（ページ検索画像９を表示させるとき）、プレビュー画面８に対して何回もタッチ操作を行う必要がないので、操作性が向上する。
【００６９】
また、本実施形態では、上記のように、パネル制御部７１０は、検索開始操作を検知して以降、プレビュー画面８に対するタッチが全て解除されたことを検知したとき、プレビュー画面８に表示するページが確定したと判断し、プレビュー画面８に現在表示中のページを表示させたまま、ページ検索画像９を非表示にさせる。このように構成すれば、プレビュー画面８に所望ページが表示された後は、プレビュー画面８に対するタッチを全て解除するだけ（指を離すだけ）でよくなる。
【００７０】
また、本実施形態では、上記のように、パネル制御部７１０は、検索開始操作として検知した２点タッチのタッチ位置のうち、上下方向のより下側のタッチ位置を中心位置ＣＰに設定し、検索開始操作の検知時に中心位置ＣＰに設定した一方のタッチのタッチ位置とは別の他方のタッチのタッチ位置（設定基準位置）が中心位置ＣＰよりも左右方向の右側の位置となっていれば、円弧９０の一対の端部のうち中心位置ＣＰよりも右側の端部９０ａの位置を始点位置ＳＰに設定する一方、設定基準位置が中心位置ＣＰよりも左右方向の左側の位置となっていれば、円弧の一対の端部のうち中心位置ＣＰよりも左側の端部９０ｂの位置を始点位置ＳＰに設定する。このように構成すれば、ユーザーの利き腕に応じて始点位置ＳＰを変えることができる（操作性を向上させることができる）。
【００７１】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【００７２】
７  操作パネル（表示入力装置）
８  プレビュー画面
９  ページ検索画像
７２  表示部
７３  タッチパネル部
９０  円弧
１００  画像形成装置
７１０  パネル制御部（制御部）
ＣＰ  中心位置
Ｐ１  第１位置
Ｐ２  第２位置
Ｐ３  第３位置
【図１】
0006380338.tif 000002
【図２】
0006380338.tif 000003
【図３】
0006380338.tif 000004
【図４】
0006380338.tif 000005
【図５】
0006380338.tif 000006
【図６】
0006380338.tif 000007
【図７】
0006380338.tif 000008
【図８】
0006380338.tif 000009
【図９】
0006380338.tif 000010
【図１０】
0006380338.tif 000011
【図１１】
0006380338.tif 000012
【図１２】
0006380338.tif 000013
【図１３】
0006380338.tif 000014
【図１４】
0006380338.tif 000015
【図１５】
0006380338.tif 000016